(57)【要約】【課題】特定の種類やサイズの運搬台車に限定されることなく、極めて広範囲の運搬台車に簡単に取り付けることができる運搬台車用小物類収容具を提供する。【解決手段】小物類を収容可能な小物類収容部２と、この小物類収容部２と一体に設けられるかまたはこのこの小物類収容部２に取り付けられており、運搬台車１８の横方向に延びる部分２０に引っ掛けられるか、または運搬台車１８に横方向に延びるように取り付けられた部材に引っ掛けられる引掛け部３とを有してなる収容具本体１を構成する。【選択図】図７
2016074344.tif 000002
【特許請求の範囲】
【請求項１】
運搬台車に取り付けられる運搬台車用小物類収容具において、
小物類を収容可能な小物類収容部と、
前記小物類収容部と一体に設けられるかまたは前記小物類収容部に取り付けられており、前記運搬台車の横方向に延びる部分に引っ掛けられるか、または前記運搬台車に横方向に延びるように取り付けられた部材に引っ掛けられる引掛け部とを有してなる収容具本体を有してなり、
前記引掛け部が前記運搬台車の横方向に延びる部分に引っ掛けられるか、または前記運搬台車に横方向に延びるように取り付けられた部材に引っ掛けられることにより、前記収容具本体が前記運搬台車に取り付けられるようになっている運搬台車用小物類収容具。
【請求項２】
前記小物類収容部は、底部と、前壁部と、後壁部と、一対の側壁部とを有していて上方を開放されており、
前記引掛け部は、引っ掛け片と前記小物類収容部の後壁部とを有してなり、
前記引っ掛け片は、前記小物類収容部の後壁部の上端部から後方に突出する後方突出部と、この後方突出部の先端部から下方に屈曲する上下方向部とを一体的に有し、
前記上下方向部は側方から見てくの状に湾曲する部分を有していて、該上下方向部の中では前記くの字の湾曲点が最も小物類収容部の後壁部に近接している請求項１記載の運搬台車用小物類収容具。
【請求項３】
前記小物類収容部に取り外し可能に装着され、該小物類収容部内を仕切る仕切り板をさらに有する請求項１または２記載の運搬台車用小物類収容具。
【請求項４】
伸縮自在であって、前記運搬台車の上下方向に延びる部分間に横方向に延びるように取り付けられる補助バーをさらに有し、この補助バーに前記引掛け部が引っ掛けられるようになっている請求項１乃至３のいずれか１項に記載の運搬台車用小物類収容具。
【請求項５】
それぞれシート状のエラストマーからなる第一のエラストマー体および第二のエラストマー体と、これらのエラストマー体にそれぞれ２つ以上設けられている取付穴とをさらに有し、
前記補助バーは、該補助バーの一端部に設けられた上下方向を軸とする円弧状をなす第一の円弧状部と、この第一の円弧状部の両端部にそれぞれ設けられたフック部と、該補助バーの他端部に設けられた上下方向を軸とする円弧状をなす第二の円弧状部と、この第二の円弧状部の両端部にそれぞれ設けられたフック部とを有しており、
前記運搬台車の一方の上下方向に延びる部分が前記第一の円弧状部の内面と前記第一のエラストマー体との間を通過することとなるようにして、前記第一の円弧状部の両端部の前記フック部を前記第一のエラストマー体の前記取付穴のうちの異なるものにそれぞれ挿通させ、これらの取付穴が前記第一の円弧状部の両端部の前記フック部にそれぞれ引っ掛けられている状態として、前記第一のエラストマー体を前記第一の円弧状部の両端部の前記フック部間に掛け渡し、前記第一のエラストマー体が弾性的に引き伸ばされて前記第一の円弧状部の内面を前記運搬台車の前記一方の上下方向に延びる部分に押圧するようにするとともに、
前記運搬台車の他方の上下方向に延びる部分が前記第二の円弧状部の内面と前記第二のエラストマー体との間を通過することとなるようにして、前記第二の円弧状部の両端部の前記フック部を前記第二のエラストマー体の前記取付穴のうちの異なるものにそれぞれ挿通させ、これらの取付穴が前記第二の円弧状部の両端部の前記フック部にそれぞれ引っ掛けられている状態として、前記第二のエラストマー体を前記第二の円弧状部の両端部の前記フック部間に掛け渡し、前記第二のエラストマー体が弾性的に引き伸ばされて前記第二の円弧状部の内面を前記運搬台車の前記他方の上下方向に延びる部分に押圧するようにすることにより、
前記補助バーが前記運搬台車の前記上下方向に延びる部分間に取り付けられるようになっている請求項４記載の運搬台車用小物類収容具。
【発明の詳細な説明】
【技術分野】
【０００１】
本発明は運搬台車に装着されて、ピッキング作業等に必要な小物類を収容する運搬台車用小物類収容具に関する。
【背景技術】
【０００２】
物流分野におけるピッキング作業、特に倉庫等において作業者が運搬台車を押して種々の各商品等が置かれている場所を回り、指定された商品等を運搬台車に積み込んで行くタイプのピッキング作業においては、作業者は作業に必要な伝票、筆記具、印鑑、鋏、カッター、梱包テープ、バーコードリーダー等の小物類を持ち歩く必要がある。
【０００３】
そこで、従来より、非特許文献１に示されているような、運搬台車に装着されてピッキング作業に必要な小物類を収納する運搬台車用小物類収容具が市販されている。
【先行技術文献】
【非特許文献】
【０００４】
【特許文献１】“TRUSCO＃３００台車ピッキングボックス”、［online］、通販モノタロウ、［ 平成２６ 年９月１６日検索］、インターネット＜ URL ：http://www.monotaro.com/p/0841/7202/?gclid=CjwKEAjw-JqgBRCAyqjoic27nlQSJABBTpFERS0fgdBlofm8wxOtrGf8I7ZqkaFyXY7NMy9TRapQeRoCVEfw#wcB&utm#medium=cpc&utm#source=Adwords&cm#mmc=Adwords-#-cpc-#-PLA-#-08417202&ef#id=UdfBKwAABKMq9M4n:20140903124500:s＞
【発明の概要】
【発明が解決しようとする課題】
【０００５】
しかしながら、前記従来の市販の運搬台車用小物類収容具においては、運搬台車への取り付けは、荷台面が複数ある多段式の運搬台車の上段の荷台とハンドルのうちの両側の上下方向に延びる部分とを利用して行うようになっており、特定のメーカーの多段式運搬台車でかつ特定の大きさの運搬台車にしか取り付けることができないという問題があった。
【０００６】
このため、ピッキング作業者の中には、段ボールで箱を自作し、ガムテープでその箱を運搬台車に取り付け、小物類収容具として用いていた人もあった。しかし、このような自作の小物類収容具は製作が面倒である上、使用が便利なように小物類を整理して収容しにくく、また耐久性に乏しいという問題があった。
【０００７】
本発明は、このような従来の事情に鑑みてなされたもので、本発明の目的の一つは、特定の種類やサイズの運搬台車に限定されることなく、極めて広範囲の運搬台車に簡単に取り付けることができる運搬台車用小物類収容具を提供することにある。
【０００８】
本発明の他の目的は、作業者がその作業者が使用する小物類に適した仕切り方で小物類収容部内を仕切ることができる運搬台車用小物類収容具を提供することにある。
【０００９】
本発明の他の目的は、前記引掛け部を引っ掛けることができる横方向に延びる部分が運搬台車自体にはなくても、補助バーを介して運搬台車に簡単に取り付けることができる運搬台車用小物類収容具を提供することにある。
【００１０】
本発明のさらに他の目的は、以下の説明から明らかになろう。
【課題を解決するための手段】
【００１１】
本発明による運搬台車用小物類収容具は、
運搬台車に取り付けられる運搬台車用小物類収容具において、
小物類を収容可能な小物類収容部と、
前記小物類収容部と一体に設けられるかまたは前記小物類収容部に取り付けられており、前記運搬台車の横方向に延びる部分に引っ掛けられるか、または前記運搬台車に横方向に延びるように取り付けられた部材に引っ掛けられる引掛け部とを有してなる収容具本体を有してなり、
前記引掛け部が前記運搬台車の横方向に延びる部分に引っ掛けられるか、または前記運搬台車に横方向に延びるように取り付けられた部材に引っ掛けられることにより、前記収容具本体が前記運搬台車に取り付けられるようになっているものである。
【００１２】
本発明の運搬台車用小物類収容具においては、運搬台車に背板等の横方向に延びる部分がある場合は、該部分に引掛け部を引っ掛けることにより、特定の種類やサイズの運搬台車に限定されることなく、極めて広範囲の運搬台車に収容具本体を簡単に取り付けることができる。
【００１３】
また、伸縮自在な補助バーを用意し、この補助バーを運搬台車の上下方向に延びる部分間に横方向に延びるように取り付ければ、運搬台車自体には背板等の横方向に延びる部分がない場合も、この補助バーに引掛け部を引っ掛けることにより、特定の種類やサイズの運搬台車に限定されることなく、極めて広範囲の運搬台車に収容具本体を簡単に取り付けることができる。
【００１４】
さらに、小物類収容部内を仕切る仕切り板を小物類収容部に取り外し可能に装着できるようにすれば、作業者がその作業者が使用する小物類に適した仕切り方で小物類収容部内を仕切ることができる。
【発明の効果】
【００１５】
本発明の運搬台車用小物類収容具は、
（イ）特定の種類やサイズの運搬台車に限定されることなく、極めて広範囲の運搬台車に収容具本体を簡単に取り付けることができる、
（ロ）補助バーを使用すれば、引掛け部を引っ掛けることができる横方向に延びる部分が運搬台車自体にはなくても、補助バーを介して運搬台車に収容具本体を簡単に取り付けることができる、
（ハ）小物類収容部内を仕切る仕切り板を小物類収容部に取り外し可能に装着できるようにすれば、作業者がその作業者が使用する小物類に適した仕切り方で小物類収容部内を仕切ることができる、
等の優れた効果を得られるものである。
【図面の簡単な説明】
【００１６】
【図１】本発明による運搬台車用小物類収容具の一実施例における収容具本体を示す斜視図である。
【図２】前記収容具本体を示す正面図である。
【図３】前記収容具本体を示す側面図である。
【図４】前記収容具本体を示す平面図である。
【図５】前記収容具本体を示す背面図である。
【図６】図２のＶＩ−ＶＩ線における断面図である。
【図７】運搬用台車の背板に前記収容具本体を取り付けた状態を示す斜視図である。
【図８】前記運搬用台車の背板に前記収容具本体を取り付けた状態を示す断面図である。
【図９】バインダーに保持された伝票を前記収容具本体の小物類収容部に収容した状態を示す断面図である。
【図１０】バインダーに保持された伝票を前記収容具本体の小物類収容部に収容した状態を示す正面図である。
【図１１】前記実施例における補助バーを示す斜視図である。
【図１２】前記補助バーを示す正面図である。
【図１３】前記補助バーを示す平面図である。
【図１４】図１２のＸＩＶ−ＸＩＶ線における断面図である。
【図１５】前記補助バーを伸張させた状態示す正面図である。
【図１６】前記実施例におけるエラストマー体を示す斜視図である。
【図１７】前記エラストマー体を示す平面図である。
【図１８】図１７のＸＶＩＩＩ−ＸＶＩＩＩ線における断面図である。
【図１９】背板を有さない運搬台車のハンドルの両側の上下方向に延びる部分に１対の前記エラストマー体を用いて前記補助バーを取り付けた状態を示す斜視図である。
【図２０】前記背板を有さない運搬台車のハンドルの一方の上下方向に延びる部分に一方の前記エラストマー体を用いて前記補助バーの一端部を取り付けた状態を示す水平方向断面図である。
【図２１】前記背板を有さない運搬台車のハンドルの他方の上下方向に延びる部分に他方の前記エラストマー体を用いて前記補助バーの他端部を取り付けた状態を示す水平方向断面図である。
【図２２】前記背板を有さない運搬台車のハンドルに取り付けられた前記補助バーに前記収容具本体を取り付けた状態を示す垂直方向断面図である（エラストマー体は図示を省略している）。
【図２３】前記背板を有さない運搬台車のハンドルに取り付けられた前記補助バーに前記収容具本体を取り付けた状態を示す斜視図である。
【発明を実施するための形態】
【００１７】
以下、本発明を図面に示す実施例に基づいて説明する。
【実施例】
【００１８】
図１〜２３は本発明の一実施例を示している。このうち図１〜６は本実施例における収容具本体１を示しており、この収容具本体１はプラスチック成形品からなり、小物類収容部２と引掛け部３とを一体的に有している。
【００１９】
前記小物類収容部２は、上方から見ると大略矩形状をなしており、底部４と、前壁部５と、後壁部６と、一対の側壁部７，８とを有しており、上方を開放されている。前記後壁部６は前壁部５より高さを高くされている。前記前壁部５、後壁部６および側壁部７，８の上端部には、フランジ部１７が連続して設けられている。前記小物類収容部２の一対の側壁部７，８の内面には、図１および４によく示されるように上下方向に延びる仕切り板（大）装着部９，１０がそれぞれ１つずつ設けられている。これらの仕切り板（大）装着部９，１０は、側壁部７，８に一体的に設けられた一対の互いに平行に延びる突条９ａ，９ｂ，１０ａ，１０ｂによりそれぞれ構成されている。前記小物類収容部２の前壁部５の内面には、図４および６に示されるように上下方向に延びる４つの仕切り板（小）装着部１１が設けられている。これらの仕切り板（小）装着部１１も、前壁部５に一体的に設けられた一対の互いに平行に延びる突条１１ａ，１１ｂによりそれぞれ構成されている。
【００２０】
前記一対の仕切り板（大）装着部９，１０には、該装着部を構成する突条部９ａ，９ｂ，１０ａ，１０ｂ間に両端部を嵌合されることにより、仕切り板（大）１２が取り外し可能に装着されるようになっている。この仕切り板（大）１２の前壁部５側の面には、図１および４によく示されるようにそれぞれ上下方向に延びる４つの仕切り板（小）装着部１３が設けられている。これらの仕切り板（小）装着部１３も、それぞれ仕切り板（大）１２に一体的に設けられた一対の互いに平行に延びる突条１３ａ，１３ｂにより構成されている。前記前壁部５に設けられた仕切り板（小）装着部１１と仕切り板（大）１２の対応する位置に設けられた仕切り板（小）装着部１３には、それぞれ該装着部を構成する突条部１１ａ，１１ｂ，１３ａ，１３ｂ間に両端部を嵌合されることにより、仕切り板（小）１４が取り外し可能に装着されるようになっている。
【００２１】
前記引掛け部３は、一対の引っ掛け片１５と小物類収容部２の後壁部６とにより構成されている（したがって、本実施例では、小物類収容部２と引掛け部３とは一部互いに共通の部分から構成されている）。前記引っ掛け片１５は、小物類収容部２の後壁部６の上端部かつ左右両端部付近から後方に突出する後方突出部１５ａと、この後方突出部１５ａの先端部から下方に屈曲する上下方向部１５ｂとを一体的に有している。前記上下方向部１５ｂは側方から見てくの状に湾曲する部分を有していて、該上下方向部１５ｂの中では前記くの字の湾曲点１６が最も小物類収容部２の後壁部６に近接している。
【００２２】
図７および８は、運搬台車１８のハンドル１９の上下方向に延びる部分１９ａ，１９ｂ間に掛け渡されて取り付けられている背板２０（ネームプレートと称されることもある）に引掛け部３を引っ掛けることにより、収容具本体１を運搬台車１８に取り付けた状態を示している。
【００２３】
なお、背板２０以外にも、運搬台車に横方向に延びる部分がある場合は、該部分に引掛け部３を引っ掛けることにより、運搬台車に収容具本体１を簡単に取り付けることができる（例えば、かご車と呼ばれている種類の運搬台車おいては、「かご」を構成している部材のうちの横方向に延びる部材に引掛け部３を引っ掛けることにより、収容具本体１を簡単に取り付けることができる）。
【００２４】
このようにこの小物類収容具は、運搬台車の横方向に延びる部分に引掛け部３を引っ掛けることにより、特定の種類やサイズの運搬台車に限定されることなく、極めて広範囲の運搬台車に収容具本体１を簡単に取り付けることができる。
【００２５】
そして、小物類収容部２には、作業に必要な伝票、筆記具、印鑑、鋏、カッター、梱包テープ、バーコードリーダー等の小物類を収容することができる。
【００２６】
なお、本実施例では、引掛け部３を構成する引っ掛け片１５の上下方向部１５ｂが側方から見てくの状に湾曲する部分を有していて、該上下方向部１５ｂの中では前記くの字の湾曲点１６が最も小物類収容部２の後壁部６に近接しているので、引掛け部３を運搬台車の横方向に延びる部分に引っ掛ける際に、引っ掛け片１５が該横方向に延びる部分によって後壁部６から離れる方向に押されることになるので、引掛け部３をスムースに引掛けることができる。
【００２７】
また、本実施例では、小物類収容部２内を仕切る仕切り板１２，１４を仕切り板装着部９，１０，１１，１３に取り外し可能に装着できるようにしているので、作業者がその作業者が使用する小物類に適した仕切り方で小物類収容部内を仕切ることができる。
【００２８】
また、本実施例では、伝票２１は、図９および１０に示されるように、バインダー２２（クリップボード）に保持させたまま、仕切り板（大）１２と小物類収容部２の後壁部６との間の部分に収容できる（図では、縦置きの状態で示しているが、横置きすることも可能である）。
【００２９】
運搬台車自体には引掛け部３を引っ掛けることができる横方向に延びる部分がない場合は、次に説明する補助バー２３を用いて運搬台車に収容具本体１を簡単に取り付けることができる。
【００３０】
図１１〜１５は、補助バー２３を示しており、この補助バー２３は、互いに別体の第一の部分２４と第二の部分２５とを有している。前記第一の部分２４および第二の部分２５はそれぞれプラスチックにより一体的に形成されている。
【００３１】
前記第一の部分２４の一端側（図１１および１２おける左端側）は直線状に延びる偏平な中空部２４ａにより構成されており、この中空部２４ａの片面側には該中空部２４ａの長さ方向に延びるスライド穴２６が設けられている。前記第一の部分２４の他端側（図１１および１２おける右端側）は、主として、中空部２４ａと同方向に延びる直線状の板状部２４ｂとこの板状部２４ｂの先端部に設けられた第一の円弧状部２４ｃとにより構成されている。前記板状部２４の両面には補強リブ２７が一体的に設けられている。前記第一の円弧状部２４ｃは上下方向を軸とする円弧状をなしており、この第一の円弧状部２４ｃの両端部にはそれぞれフック部２８，２９が設けられている。
【００３２】
前記第二の部分２５の大部分は、直線状の板状部２５ａによって構成されている。この板状部２５ｂの一端側（図１１および１２おける右端側）は第一の部分２４の中空部２４ａ内に長さ方向に相対的にスライド可能に嵌合されている。前記板状部２５ｂの前記一端部付近には、ストッパ凸部３０が一体的に設けられており、このストッパ凸部３０はスライド穴２６に相対的にスライド可能に嵌合されている。図１５に示されるように、前記第一の部分２４および第二の部分２５を互いに対し相対的にスライドすることにより、補助バー２３を伸縮できるが、ストッパ凸部３０がスライド穴２６の両端部に当接することにより補助バー２３の伸縮範囲は一定範囲に制限されている。前記板状部２４ｂの他端側（図１１および１２おける左端側）の両面には補強リブ３１が一体的に設けられており、この補強リブ３１が設けられている部分は常に中空部２４ａ外にあるようになっている。前記板状部２５ｂの他端部には上下方向を軸とする円弧状をなす第二の円弧状部２５ｂが設けられている。この第二の円弧状部２５ｂの両端部にはそれぞれフック部３２，３３が設けられている。
【００３３】
図１６〜１８は、補助バー２３を運搬台車１８の上下方向に延びる部分に取り付けるために使用される第一および第二のエラストマー体３４，３５を示している。なお、第一および第二のエラストマー体３４，３５は同形同大であるので、図１６〜１８では同一の図面で示している。
【００３４】
第一および第二のエラストマー体３４，３５はゴムまたは熱可塑性エラスマー等のエラストマーからなり、自由な状態では大略矩形状のシート状をなしていてゴム弾性を有している。これらの第一および第二のエラストマー体３４，３５には、それぞれ、自由な状態では細長い矩形状をなす３つの取付穴３６が互いに間隔を置いて設けられている。
【００３５】
次に、図１９〜２１を用いて、引掛け部３を引っ掛けることができる横方向に延びる部分がない運搬台車１８に補助バー２３を取り付ける方法を説明する。ここでは、一例として、運搬台車１８の上下方向に延びる部分として運搬台車１８のハンドル１９の両側の上下方向に延びる部分１９ａ，１９ｂを使用することとするが、使用する運搬台車によっては他の種の上下方向に延びる部分を使用することもできる。
【００３６】
第一の円弧状部２４ｃの内面が一方の上下方向に延びる部分１９ａに当接し、第二の円弧状部２５ｂの内面が他方の上下方向に延びる部分１９ｂに当接するように補助バー２３を伸縮させる（すなわち、補助バー２３の第一の部分２４および第二の部分２５を互いに対し相対的にスライドする）。そして、図２０に示されるように、一方の上下方向に延びる部分１９ａが第一の円弧状部２４ｃの内面と第一のエラストマー体３４との間を通過することとなるようにして、第一の円弧状部２４ｃの両端部のフック部２８，２９を第一のエラストマー体３４の３つの取付穴３６のうちの２つの取付穴３６に挿通させ、各取付穴３６がフック部２８，２９にそれぞれ引っ掛けられている状態として、第一のエラストマー体３４をフック部２８，２９間に掛け渡し、第一のエラストマー体３４が弾性的に引き伸ばされてその復元力により第一の円弧状部２４ｃの内面を運搬台車１８の上下方向に延びる部分１９ａに押圧するようにする。これにより、補助バー２３の一端部が一方の上下方向に延びる部分１９ａに取り付けられる。同様にして、図２１に示されるように、他方の上下方向に延びる部分１９ｂが第二の円弧状部２５ｂの内面と第二のエラストマー体３５との間を通過することとなるようにして、第二の円弧状部２５ｂの両端部のフック部３２，３３を第二のエラストマー体３５の３つの取付穴３６のうちの２つの取付穴３６に挿通させ、各取付穴３６がフック部３２，３３にそれぞれ引っ掛けられている状態として、第二のエラストマー体３５をフック部３２，３３間に掛け渡し、第二のエラストマー体３５が弾性的に引き伸ばされてその復元力により第二の円弧状部２５ｂの内面を運搬台車１８の上下方向に延びる部分１９ｂに押圧するようにする。これにより、補助バー２３の他端部が他方の上下方向に延びる部分１９ｂに取り付けられ、図１９に示されるように補助バー２３が２つの上下方向に延びる部分１９ａ，１９ｂ間に掛け渡された状態となる。
【００３７】
そして、図２２および２３に示されるように、補助バー２３に引掛け部３を引っ掛けることにより運搬台車１８に収容具本体１を簡単に取り付けることができる（なお、図２２では、第二のエラストマー体３５は図示を省略している）。
【００３８】
このようにこの小物類収容具は、運搬台車自体には引掛け部３を引っ掛けることができる横方向に延びる部分がない場合も、補助バー２３を用い、該補助バー２３に引掛け部３を引っ掛けることにより、特定の種類やサイズの運搬台車に限定されることなく、極めて広範囲の運搬台車に収容具本体１を簡単に取り付けることができる。
【００３９】
また、本実施例では、第一および第二のエラストマー体３４，３５にそれぞれ取付穴３６が２つより多く設けられているので、補助バー２３を取り付けるべき運搬台車の上下方向に延びる部分の太さに応じてフック部２８，２９，３２，３３を挿通する取付穴３６を選択することにより、第一および第二のエラストマー体３４，３５の締付力を調整することができる。
【産業上の利用可能性】
【００４０】
以上のように本発明による運搬台車用小物類収容具は、ピッキング作業等に必要な小物類を収容する運搬台車用小物類収容具として有用である。
【符号の説明】
【００４１】
１    収容具本体
２    小物類収容部
３    引掛け部
４    底部
５    前壁部
６    後壁部
７，８    側壁部
９，１０    仕切り板（大）装着部
１１    仕切り板（小）装着部
１２    仕切り板（大）
１３    仕切り板（小）装着部
１４    仕切り板（小）
１５    引っ掛け片
１５ａ  後方突出部
１５ｂ  上下方向部
１６    くの字の湾曲点
１８    運搬台車
１９    ハンドル
１９ａ，１９ｂ  ハンドルの上下方向に延びる部分
２０    背板
２１    伝票
２２    バインダー
２３    補助バー
２４ｃ  第一の円弧状部
２５ｂ  第二の円弧状部
２８，２９  フック部
３２，３３  フック部
３４  第一のエラストマー体
３５  第二のエラストマー体
３６  取付穴
【図１】
2016074344.tif 000003
【図２】
2016074344.tif 000004
【図３】
2016074344.tif 000005
【図４】
2016074344.tif 000006
【図５】
2016074344.tif 000007
【図６】
2016074344.tif 000008
【図７】
2016074344.tif 000009
【図８】
2016074344.tif 000010
【図９】
2016074344.tif 000011
【図１０】
2016074344.tif 000012
【図１１】
2016074344.tif 000013
【図１２】
2016074344.tif 000014
【図１３】
2016074344.tif 000015
【図１４】
2016074344.tif 000016
【図１５】
2016074344.tif 000017
【図１６】
2016074344.tif 000018
【図１７】
2016074344.tif 000019
【図１８】
2016074344.tif 000020
【図１９】
2016074344.tif 000021
【図２０】
2016074344.tif 000022
【図２１】
2016074344.tif 000023
【図２２】
2016074344.tif 000024
【図２３】
2016074344.tif 000025